(57)【特許請求の範囲】
【請求項１】
記録ディスクと、ヘッドと、記録ディスクに対してヘッドを変位させるヘッド駆動機構と、少なくとも前記ヘッド駆動機構が搭載される平板状の台座と、前記台座に平行に広がって該台座から間隔を空けて配置される上面、該上面の周縁から前記台座に向かって延びる側面、および、該側面から外側に向かって広がって前記台座に重ね合わせられる底部を有しつつ前記台座と協働で前記ヘッド駆動機構を収容するカバーと、前記カバーおよび前記ヘッド駆動機構を相互に連結させる連結機構と、前記カバーの上面の外面で前記ヘッド駆動機構の前記連結機構の周囲に形成される凹部と、前記ヘッド駆動機構の前記連結機構の振動伝播範囲である前記凹部内で前記連結機構の周囲に設けられ、前記連結機構の振動を吸収する振動吸収材を有する制振板とを備えることを特徴とする記録ディスク装置。
【請求項２】
請求項１に記載の記録ディスク装置において、前記カバーは金属材料の深絞り加工に基づき形成されることを特徴とする記録ディスク装置。
【請求項３】
請求項１または２に記載の記録ディスク装置において、前記制振板には、前記連結機構が配置される抜き部が形成されることを特徴とする記録ディスク装置。
【請求項４】
請求項１〜３のいずれか１項に記載の記録ディスク装置において、前記制振板は、さらに前記記録ディスクを回転自在に支持する回転軸と前記カバーとを相互に連結させる回転軸連結機構の周囲に形成される前記凹部内で前記回転軸連結機構の周囲を覆うことを特徴とする記録ディスク装置。
【請求項５】
請求項１に記載の記録ディスク装置において、前記カバーは、前記凹部の底面に形成される補助凹部を有し、前記制振板は、前記凹部に貼り付けられる主制振板と、前記補助凹部に貼り付けられて、前記凹部の底面に面一に規定される表面を有する補助制振板とを備えることを特徴とする記録ディスク装置。
【請求項６】
請求項１〜５のいずれか１項に記載の記録ディスク装置が組み込まれたことを特徴とするコンピュータ装置。
【発明の詳細な説明】
【０００１】
【発明の属する技術分野】
本発明は、磁気ディスク装置に代表される記録ディスク装置に適用されるハウジングに関する。
【０００２】
【従来の技術】
磁気ディスク装置では、シーク時に磁気ディスクの回転によって騒音が発生することが知られている。この騒音は、磁気ディスクの回転振動が回転軸等を通じてハウジングに伝達されることにより発生する。したがって、高い剛性の得られるダイカスト製法によってハウジング全体を形成すれば、騒音の発生が抑制される。その一方で、ハウジングの軽量化や製造コストの低減を考えた場合、ハウジングはプレス加工によって成形されることが望ましい。特に、安価なパーソナルコンピュータ装置を提供するにはハウジングの一層の低廉化は欠かせない。
【０００３】
現在主流となっているハウジングでは、箱型のハウジング本体がダイカスト製法で形成され、そのハウジング本体の開口が平板状のカバーによって閉鎖される。こうした構成では、カバーをプレス加工で成形することができる一方で、剛性の低いカバーが振動しやすく、騒音の発生が避けられない。そこで、１枚の制振鋼板でカバーを構成し、カバーの振動を吸収することによって騒音の抑制が図られている。
【０００４】
ところで、ハウジングの内部には、情報が記録される磁気ディスク、磁気ディスクに対して情報の読取り／書込みを行う磁気ヘッド、磁気ヘッドが先端に搭載されたキャリッジを駆動するアクチュエータ、磁気ディスクを回転駆動するスピンドルモータといった構成要素が組み込まれる。箱型のハウジング本体を用いると、こうした構成要素の組み込み作業が面倒となる。ハウジング本体の側壁が組み込み作業の邪魔になるからである。そこで、平板状の台座と深絞り加工のカバーとでハウジングを構成することが知られている。かかる構成によれば、簡単に台座上に構成要素を配置することができ、その結果、作業効率が向上する。
【０００５】
その一方で、深絞り加工でカバーを形成すると、カバーの振動発生が避けられなくなる。そこで、例えば特開平９−１２８９５５号公報に開示されるように、磁気ディスクの回転軸とカバーとを相互に連結させるネジ周りでカバー外面に制振鋼板を貼り付け、振動吸収による騒音の抑制が図られている。
【０００６】
【発明が解決しようとする課題】
近年、スピンドルモータの高性能化や、スピンドルモータに対する電流制御等によって磁気ディスクの回転振動は低減されつつある。その結果、磁気ヘッドを駆動するアクチュエータの駆動振動が騒音の発生要因として大きな割合を占めるようになった。アクチュエータの駆動振動がキャリッジの回転軸等を通じてカバーに伝播し、騒音を発生させるのである。
【０００７】
前述した箱型のハウジング本体を用いれば、カバー全体が制振鋼板から構成されるため、アクチュエータによる振動発生は抑制されることとなる。しかしながら、カバーの厚みが増すことから、ハウジング内部の収容空間が圧迫されてしまう。その一方で、前記公報に記載された技術では、アクチュエータによる振動発生は全く考慮されていないといってもよい。
【０００８】
本発明は、上記実状に鑑みてなされたもので、平板状の台座と深絞り加工のカバーとでハウジングを構成した場合でも、記録ディスクに対してヘッドを変位させる駆動機構に起因する騒音を抑制することができる記録ディスク装置用ハウジングを提供することを目的とする。また、本発明は、そうした駆動機構に起因する騒音を抑制しつつもハウジング内の収容空間を圧迫することのない記録ディスク装置用ハウジングを提供することを目的とする。
【０００９】
【課題を解決するための手段】
上記目的を達成するために、第１発明によれば、記録ディスクと、ヘッドと、記録ディスクに対してヘッドを変位させる駆動機構と、少なくとも駆動機構が搭載される平板状の台座と、この台座に結合されて少なくとも駆動機構を収容する深絞り加工された金属製カバーと、カバーおよび駆動機構を相互に連結させる連結機構と、カバー外面に貼り付けられて連結機構の振動を吸収する制振板とを備えることを特徴とする記録ディスク装置が提供される。
【００１０】
また、第２発明によれば、記録ディスクに対してヘッドを変位させる駆動機構が搭載される平板状の台座と、この台座に結合されて少なくとも駆動機構を収容する深絞り加工された金属製カバーと、カバーおよび駆動機構を相互に連結させる連結機構の振動伝播範囲でカバー外面に貼り付けられる制振板とを備えることを特徴とする記録ディスク装置用ハウジングが提供される。
【００１１】
第１発明に係る記録ディスク装置や、第２発明に係るハウジングが適用された記録ディスク装置によれば、駆動機構から連結機構を通じてカバーに伝達される振動が吸収される。その結果、深絞り加工によってカバーを成形した場合でも騒音が低減される。深絞り加工によって安価にハウジングを提供することが可能なことから、パーソナルコンピュータに代表されるコンピュータ装置の低廉化に有効となる。
【００１２】
前記制振板は、カバー外面に形成された凹部に配置されてもよい。そうすることによって、カバー外面に制振板を簡単に位置決めすることが可能となる。特に、カバー外面と制振板の表面とが面一にされれば、ハウジングの外観を向上することができる。
【００１３】
前記制振板には、前記連結機構が配置される抜き部が形成されることが望ましい。一般に、ＨＤＤに代表される記録ディスク装置では、連結機構の周囲でハウジングの厚みが最大となると考えられる。したがって、連結機構を避けて制振板を配置すれば、ハウジングの厚みの増大を回避することが可能となる。例えば、ＨＤＤの分野ではハウジングの高さが規格化されていることから、限られた厚みに対して一層大きな収容空間をハウジング内に形成することが可能となる。
【００１４】
さらに、第３発明によれば、記録ディスクと、ヘッドと、ヘッドが搭載されるキャリッジと、キャリッジを回転自在に支持するキャリッジ軸と、少なくともキャリッジ軸を収容するハウジングと、キャリッジ軸およびハウジングを相互に連結させる連結機構と、連結機構が配置される抜き部が形成されて、ハウジング外面に貼り付けられる制振板とを備えることを特徴とする記録ディスク装置が提供される。
【００１５】
さらにまた、第４発明によれば、ヘッドが搭載されるキャリッジを回転自在に支持するキャリッジ軸が設置されるハウジング本体と、ハウジング本体と協働して、少なくともキャリッジ軸を収容するカバーと、カバーおよびキャリッジ軸を相互に連結させる連結機構が配置される抜き部が形成されて、カバー外面に貼り付けられる制振板とを備えることを特徴とする記録ディスク装置用ハウジングが提供される。
【００１６】
第３発明に係る記録ディスク装置や、第４発明に係るハウジングが適用された記録ディスク装置によれば、キャリッジ軸から連結機構を通じてハウジングに伝達される振動が吸収される。一般に、ＨＤＤに代表される記録ディスク装置では、キャリッジ軸の周辺でハウジングの厚みが最大となると考えられる。したがって、連結機構を避けて制振板を配置すれば、ハウジングの厚みの増大を回避することが可能となる。例えば、ＨＤＤの分野ではハウジングの高さが規格化されていることから、限られた厚みに対して一層大きな収容空間をハウジング内に形成することが可能となる。特に、制振板はカバー外面に貼り付けられることから、例えば制振板を貼り付ける際に用いられる接着剤や両面テープ等からガスが発生したり、制振板がカバーから剥がれたりしても、記録ディスク装置の動作に悪影響を及ぼす心配はない。
【００１７】
このとき、前記制振板は、カバー外面に形成された凹部に配置されてもよい。そうすることによって、カバー外面に制振板を簡単に位置決めすることが可能となる。特に、カバー外面と制振板の表面とが面一にされれば、ハウジングの外観を向上することができる。
【００１８】
いずれの発明の場合でも、前記制振板は、前記連結機構の振動伝播範囲を覆うだけでなく、前記記録ディスクを回転自在に支持する回転軸とカバーとを相互に連結させる回転軸連結機構の振動伝播範囲を覆ってもよい。その結果、１枚の制振板で、連結機構からハウジングに伝播する振動と、回転軸連結機構からハウジングに伝播する振動とを吸収することができる。したがって、部品コストの低減や、作業効率の向上に寄与することができる。
【００１９】
以上の記録ディスク装置は、パーソナルコンピュータに代表されるコンピュータ装置に組み込まれて使用されればよい。パーソナルコンピュータには、例えばデスクトップ型やタワー型といった形態が含まれる。
【００２０】
【発明の実施の形態】
以下、添付図面を参照しつつ本発明の実施形態を説明する。
【００２１】
図１はコンピュータ装置ＣＯの構成を概略的に示す。このコンピュータ装置ＣＯは、中央演算装置（ＣＰＵ）１１と、本発明に係る記録ディスク装置としてのハードディスク装置（ＨＤＤ）１２とが組み込まれたコンピュータ本体１３を備える。ＣＰＵ１１は、コンピュータ本体１３に接続された入力装置（例えばキーボードやマウス）１４から入力される指示に従って、ＨＤＤ１２との間で電子データをやり取りすることができる。取得された電子データは、コンピュータ本体１３に接続されたディスプレイ装置１５に表示されることができる。
【００２２】
図２は、本発明の第１実施形態に係る記録ディスク装置としてのハードディスク装置（ＨＤＤ）１２の外観を示す。このＨＤＤ１２は、アルミダイカスト製法によって成形された平板状の台座２０と、この台座２０に結合されるアルミ製カバー２１とから構成されるハウジング２２を備える。カバー２１は、プレスによる深絞り加工によって形成されている。台座２０の裏面には、制御回路が形成された基板（図示せず）が組み込まれる。基板は、制御用コネクタ２３を通じてＣＰＵ１１の制御用ポートに接続され、電源用コネクタ２４を通じてコンピュータ装置ＣＯの電源に接続される。
【００２３】
図３から明らかなように、ＨＤＤ１２は、電子データが記録される記録ディスクとしての複数枚の磁気ディスク２５と、各磁気ディスク２５の表面に対向し、磁気ディスク２５に対して電子データの読取り／書込みを行う磁気ヘッド２６とを備える。磁気ディスク２５は、台座２０に固定された回転軸２７回りで回転する。磁気ディスク２５の回転はスピンドルモータ（図示せず）によって駆動される。磁気ヘッド２６は、台座２０に搭載される駆動機構２８の働きを通じて、磁気ディスク２５に対して変位すなわち位置決めされる。
【００２４】
駆動機構２８は、磁気ヘッド２６が搭載されるキャリッジ３０を備える。キャリッジ３０は、台座２０に固定されるキャリッジ軸３１に回転自在に支持される。キャリッジ３０は、アクチュエータを構成する磁気回路３２の働きによって揺動駆動される。台座２０にカバー２１が結合されると、磁気ディスク２５、磁気ヘッド２６および駆動機構２８はハウジング２２に収容されることとなる。
【００２５】
第１ネジ３３は、台座２０にカバー２１が重ね合わされた状態で、カバー２１を貫通して回転軸２７先端にねじ込まれる。その結果、回転軸２７とカバー２１とは相互に連結される。その一方で、第２ネジ３４は、台座２０にカバー２１が重ね合わされた状態で、カバー２１を貫通してキャリッジ軸３１先端にねじ込まれる。したがって、駆動機構２８のキャリッジ軸３１とカバー２１とは相互に連結されることとなる。
【００２６】
カバー２１外面には制振板３５が貼り付けられる。制振板３５は、カバー２１外面に形成された同形状の凹部３６によって位置決めされる。凹部３６では、第１ネジ３３の受け部を中心に円形の第１収容部３７が突出する。第１収容部３７は、回転軸２７先端に配置されるベアリングを収容する。同様に凹部３６には、第２ネジ３４の受け部を中心に円形の第２収容部３８が突出する。この第２収容部３８は、キャリッジ軸３１先端に配置されるベアリングを収容する。制振板３５には、カバー２１外面に貼り付けられた際に第１収容部３７を配置させる第１抜き部４０と、同様に第２収容部３８を配置させる第２抜き部４１とが形成される。カバー２１外面に制振板３５が貼り付けられると、制振板３５の表面と第１および第２収容部３７、３８の上面とは面一となる（例えば図４参照）。
【００２７】
凹部３６の底面には、カバー２１を貫通してハウジング２２内に通じる連通孔４３が形成される。一方で、制振板３５には、連通孔４３とはずれた位置で呼吸孔４４が形成される。連通孔４３と呼吸孔４４とは、制振板３５がカバー２１に貼り付けられた際に、図４に示される連通路４５を通じて互いに接続される。
【００２８】
図４から明らかなように、制振板３５は、金属板４６と、この金属板４６の裏面に接着された振動吸収材４７とから構成される。振動吸収材４７は例えば弾力のある両面テープから構成されればよい。連通路４５は、振動吸収材４７の一部をくり貫くことによって形成される。こうした連通路４５、連通孔４３および呼吸孔４４の働きによってハウジング２２内の圧力変動は吸収される。しかも、細長い連通路４５の働きによって、呼吸孔４４から導入される塵埃等は連通路４５で捕獲され、ハウジング２２内に達することはない。
【００２９】
次に、図３を参照しつつＨＤＤの製造方法を簡単に説明する。まず、アルミダイカスト製法によって台座２０を成形し、成形された台座２０に仕上げ加工を施す。続いて、台座２０に、スピンドルモータ、磁気ディスク２５、駆動機構２８、その他の構成要素を設置する。このとき、台座２０の裏面に基板が取り付けられてもよい。
【００３０】
構成要素の設置を終えたら、台座２０にカバー２１を被せ、台座２１とカバー２０とを結合させる。カバー２１は、１枚のアルミ板から、プレスを用いた深絞り加工によって用意される。この深絞り加工によって、カバー２１外面の凹部２６や、第１および第２収容部３７、３８が形成される。
【００３１】
続いて、カバー２１外面に制振板３５を貼り付ける。このとき、制振板３５は凹部３６にはめ込まれる。こうして第１および第２収容部３７、３８の上面と制振板３５の表面とが面一とされる。一般に、ＨＤＤでは、回転軸２７やキャリッジ軸３１周囲でハウジング２２の厚みが最大となると考えられる。したがって、回転軸２７やキャリッジ軸３１周辺を避けて制振板３５を配置すれば、ハウジング２２の厚みの増大を回避することが可能となる。ＨＤＤの分野ではハウジング２２の高さが規格化されていることから、限られた厚みに対して一層大きな収容空間をハウジング２２内に形成することが可能となる。
【００３２】
ＨＤＤ１２の使用にあたっては、ＨＤＤ１２はコンピュータ本体１３のハウジング内に設置される。ＨＤＤ１２は、制御用コネクタ２３を通じてＣＰＵ１１に接続され、電源用コネクタ２４を通じて主電源に接続される。ＣＰＵ１１が電子データの読取りや書込みを指令すると、基板上の制御回路が作動し、回転軸２７回りで磁気ディスク２５が回転し、キャリッジ軸３１回りでキャリッジ３０が揺動する。
【００３３】
このとき、磁気ディスク２５の回転振動は、回転軸２７から第１ネジ３３を伝わってカバー２１に伝達される。また、キャリッジ３０の駆動振動は、キャリッジ軸３１から第２ネジ３４を伝わってカバー２１に伝達される。その結果、カバー２１では、第１ネジ３３を中心とした振動伝播範囲と、第２ネジ３４を中心とした振動伝播範囲で振動が伝播する。伝播した振動は、こうした振動伝播範囲を覆う制振板３５によって吸収される。したがって、カバー２１の振動に起因する騒音は抑制される。実験によれば、第２ネジ３４周りに制振板３５を配置したことによって、配置しない場合に比べて２ｄＢ以上の騒音低減が実現されたことが確認された。
【００３４】
なお、第１および第２抜き部４０、４１の形状は円形に限られるものではなく、第１および第２収容部３７、３８の形状に対応して任意に設定されればよい。また、第１および第２抜き部４０、４１は、必ずしも孔として形成される必要はなく、制振板３５の輪郭に形成される切り欠き等によって形成されてもよい。さらに、前記実施形態では、１枚の制振板によって第１および第２ネジ３３、３４の振動伝播範囲を覆ったが、第１ネジ３３の振動伝播範囲と、第２ネジ３４の振動伝播範囲とを個別の制振板で覆うようにしてもよい。
【００３５】
図５は、本発明の第２実施形態に係る記録ディスク装置としてのＨＤＤを示す。この第２実施形態では、第１ネジ３３の振動伝播範囲と、第２ネジ３４の振動伝播範囲とで制振板の厚みを変えたことが特徴とされる。詳述すると、制振板５０は、第１実施形態で詳述された制振板３５と同様な主制振板５１と、第１振動伝播範囲で制振板５０の厚みを補強する補助制振板５２とを備える。凹部底面３６には、補助制振板５２に対応する補助凹部５３が形成されている。補助凹部５３に補助制振板５２が貼り付けられると、凹部３６底面と補助制振板５２の表面とは面一となる。こうして面一となった凹部３６底面の全範囲にわたって主制振板５１が貼り付けられる。なお、前述の第１実施形態と同様な機能を発揮する構成には同一の参照符号が付され、その詳細な説明は省略される。
【００３６】
かかる構成によれば、第１ネジ３３の振動伝播範囲では、制振板５０の厚みが増した分、第２ネジ３４の振動伝播範囲よりも効果的に振動の吸収が行われることとなる。補助凹部５３は、台座２０に配置された構成要素のうち比較的厚みの小さい領域に形成されるので、補助凹部５３の形成によって構成要素の一層の厚み低減が要求されることはない。
【００３７】
図６は、本発明の第３実施形態に係る記録ディスク装置としてのＨＤＤを示す。この第３実施形態では、カバー２１ａ外面に、第１および第２ネジ３３、３４の受け部の周囲で一体化された大収容部５５が形成される。この大収容部５５は、前述した第１および第２収容部３７、３８と同様の機能を果たす。大収容部５５の周囲には、制振板５６の厚みを受け入れる段差面５７が規定される。この段差面５７に、ハウジング２２の外形を規定する制振板５６が貼り付けられる。貼り付けられた制振板５６の表面と大収容部５５の上面とは面一となる。かかる構成によっても、ハウジング２２内の収容空間を圧迫することなく、第１および第２ネジ３３、３４の振動伝播範囲を制振板５６で覆うことが可能となる。
【００３８】
【発明の効果】
以上のように本発明によれば、ハウジング内に収容される構成要素の一層の薄型化を強いることなく、連結機構から伝播する振動を吸収し、記録ディスク装置の騒音を低減させることができる。本発明は、特に、ハウジングのカバーをプレスによる深絞り加工によって成形する場合に有用である。
【図面の簡単な説明】
【図１】  コンピュータ装置の構成を概略的に示す図である。
【図２】  本発明の第１実施形態に係るハードディスク装置（ＨＤＤ）の外観を示す斜視図である。
【図３】  ＨＤＤの分解斜視図である。
【図４】  図２の４−４線に沿ったカバーの一部拡大断面図である。
【図５】  本発明の第２実施形態に係るハードディスク装置（ＨＤＤ）を示す分解斜視図である。
【図６】  本発明の第３実施形態に係るハードディスク装置（ＨＤＤ）を示す分解斜視図である。
【符号の説明】
１２  記録ディスク装置としての磁気ディスク装置（ＨＤＤ）、２０  ハウジング本体としての台座、２１，２１ａ  カバー、２２  ハウジング、２５  記録ディスクとしての磁気ディスク、２６  ヘッドとしての磁気ディスク、２７  回転軸、２８  駆動機構、３０  キャリッジ、３１  キャリッジ軸、３３  回転軸連結機構としての第１ネジ、３４  連結機構としての第２ネジ、３５，５０，５６  制振板、３６  凹部、４１  抜き部としての第２抜き部、５７  凹部としての段差面、ＣＯ  コンピュータ装置。
【図１】
0004335328.tif 000002
【図２】
0004335328.tif 000003
【図３】
0004335328.tif 000004
【図４】
0004335328.tif 000005
【図５】
0004335328.tif 000006
【図６】
0004335328.tif 000007